(57)【要約】【課題】システムを迅速に立ち上げることができるとともに、冷媒循環量を増加させて冷却能力をより向上させることが可能な熱移動システムを提供する。【解決手段】この熱移動システム１００では、溶液（ＬｉＢｒ水溶液）に吸収された冷媒を蒸発させる蒸発部１０と、溶液が収容される吸引部３０と、冷媒蒸気を凝縮させる凝縮部２０と、蒸気通路４１に設けられた蒸気流通用弁５１と、濃溶液通路４３ａに設けられた濃溶液移動用弁５２ａとを備える。そして、冷媒が蒸発して蒸発部１０の溶液の濃度が所定値まで上昇した場合に、蒸気流通用弁５１を閉じて濃溶液移動用弁５２ａを開くことによって冷媒蒸気の圧力により蒸発部１０の溶液が吸引部３０に移動されるとともに、吸引部３０と凝縮部２０との内圧差を利用して凝縮部２０で凝縮された冷媒が吸引部３０に吸引されるように構成されている。【選択図】図１
2014092320.tif 000002
【特許請求の範囲】
【請求項１】
溶液に吸収された冷媒を蒸発させる蒸発部と、
前記溶液が収容される吸引部と、
前記蒸発部で蒸発された冷媒蒸気を凝縮させる凝縮部と、
前記蒸発部と前記凝縮部とを接続する蒸気通路に設けられた第１の弁と、
前記蒸発部と前記吸引部とを接続する溶液通路に設けられた第２の弁とを備え、
前記冷媒が蒸発して前記蒸発部の前記溶液の濃度が所定値まで上昇した場合に、前記第１の弁を閉じて前記第２の弁を開くことによって前記冷媒蒸気の圧力により前記蒸発部の前記溶液が前記吸引部に移動されるとともに、前記吸引部と前記凝縮部との内圧差を利用して前記凝縮部で凝縮された前記冷媒が前記吸引部に吸引されるように構成されている、熱移動システム。
【請求項２】
前記凝縮部と前記吸引部とを接続する冷媒通路に設けられた第３の弁をさらに備え、
前記蒸発部の前記溶液が前記吸引部に移動された後に、前記第２の弁を閉じて前記第３の弁を開くことにより、前記吸引部と前記凝縮部との内圧差を利用して前記凝縮部で凝縮された前記冷媒が前記吸引部に吸引されるように構成されている、請求項１に記載の熱移動システム。
【請求項３】
前記凝縮部で凝縮された前記冷媒が前記吸引部に吸引された後に、前記第１の弁および前記第２の弁を開くことにより、前記吸引部の前記溶液は、前記吸引部と前記蒸発部との液面差により前記蒸発部に移動されるように構成されている、請求項２に記載の熱移動システム。
【請求項４】
前記第１の弁、前記第２の弁および前記第３の弁の開閉制御を行う弁制御部をさらに備え、
前記冷媒が蒸発して前記蒸発部の前記溶液の濃度が所定値まで上昇した場合に、前記弁制御部により前記第１の弁を閉じて前記第２の弁を開く制御が行われて前記冷媒蒸気の圧力により前記蒸発部の前記溶液が前記吸引部に移動され、その後、前記弁制御部により前記第２の弁を閉じて前記第３の弁を開く制御が行われて前記吸引部と前記凝縮部との内圧差を利用して前記凝縮部の前記冷媒が前記吸引部に吸引され、その後、前記弁制御部により前記第１の弁および前記第２の弁を開く制御が行われることにより前記吸引部と前記蒸発部との液面差により前記吸引部の前記溶液が前記蒸発部に移動されるように構成されている、請求項３に記載の熱移動システム。
【請求項５】
前記蒸発部の前記溶液が温度低下を伴いながら前記吸引部に移動されることによって、前記吸引部の内圧を低下させて前記溶液が収容された前記吸引部の内圧と前記凝縮部の内圧との圧力差により前記凝縮部で凝縮された前記冷媒が前記吸引部に吸引されるように構成されている、請求項１〜４のいずれか１項に記載の熱移動システム。
【請求項６】
前記蒸発部と前記吸引部とを接続する前記溶液通路に設けられ、前記蒸発部から前記吸引部に移動される際の前記溶液の温度を前記凝縮部における前記冷媒蒸気の凝縮温度未満に低下させる冷却部をさらに備える、請求項５に記載の熱移動システム。
【請求項７】
前記凝縮部と前記吸引部とを接続する冷媒通路が設けられており、
前記凝縮部と前記冷媒通路との接続部分は、前記冷媒通路と前記吸引部との接続部分よりも下方に配置されている、請求項５または６に記載の熱移動システム。
【請求項８】
前記溶液通路は、前記冷媒の蒸発後の濃溶液を前記蒸発部から前記吸引部へと移動させるための第１溶液通路と、前記吸引部において前記凝縮部から吸引された前記冷媒によって前記濃溶液が希釈された希溶液を前記吸引部から前記蒸発部へと移動させるための第２溶液通路とを含み、
前記第２の弁は、前記第１溶液通路に設けられた濃溶液移動用弁と、前記第２溶液通路に設けられた希溶液移動用弁とを含む、請求項１〜７のいずれか１項に記載の熱移動システム。
【請求項９】
前記蒸発部で蒸発された前記冷媒蒸気を円滑に通過させるとともに前記溶液を通過させない大きさの孔を有することによって、前記冷媒蒸気と前記溶液とを分離する分離部が配置されている、請求項１〜８のいずれか１項に記載の熱移動システム。
【請求項１０】
前記蒸発部、前記吸引部および前記凝縮部は、車両に搭載されており、
前記車両のエンジン、モータ、バッテリーおよび蓄熱器の少なくとも１つの排熱が前記蒸発部で蒸発された前記冷媒蒸気に伝達されるとともに、前記凝縮部において外部に放熱されるかまたは熱利用デバイスの熱源として利用されるように構成されている、請求項１〜９のいずれか１項に記載の熱移動システム。
【発明の詳細な説明】
【技術分野】
【０００１】
本発明は、熱移動システムに関する。
【背景技術】
【０００２】
従来、密閉された容器内で蒸発および凝縮に伴う冷媒の相変化を繰り返し行うことにより、発熱体の熱（排熱）を系外に移送可能に構成された熱移動システムが知られている（たとえば、特許文献１参照）。
【０００３】
上記特許文献１には、水（冷媒）にベンゾトリアロール系防錆剤が混合された水溶液を蒸発させる蒸発部と、蒸発部で水溶液から蒸発した水蒸気（冷媒蒸気）を凝縮させる凝縮部と、蒸発部および凝縮部間を接続するとともに水蒸気が流通する蒸気通路および水（凝縮水）が流通する凝縮液通路とを備えた冷却システム（熱移動システム）が開示されている。この特許文献１に記載の冷却システムでは、発熱体が蒸発部で水溶液を加熱することにより発熱体の熱が水溶液から蒸発した水蒸気（冷媒蒸気）に伝達されるとともに、凝縮部において水蒸気の熱が外気に放熱されることにより、発熱体が冷却されるように構成されている。なお、凝縮部と凝縮液通路との接続部分には浸透膜が設けられており、凝縮部側の凝縮水（純水）と蒸発部側の水溶液とがこの浸透膜により隔てられている。これにより、凝縮部の凝縮水と蒸発部のベンゾトリアロール系防錆剤が含まれた水溶液との濃度差に基づく浸透圧により、凝縮部の凝縮水が蒸発部へ徐々に浸透されて蒸発中の水溶液が所定濃度に希釈されるように構成されている。
【先行技術文献】
【特許文献】
【０００４】
【特許文献１】特開２０１１−２２０５９６号公報
【発明の概要】
【発明が解決しようとする課題】
【０００５】
しかしながら、上記特許文献１に記載された冷却システム（熱移動システム）では、凝縮部の凝縮水を蒸発部へ戻す際の駆動力に溶液の浸透圧を利用するため、凝縮部と蒸発部との溶液の圧力差（浸透圧）を発生させるのにはある程度の時間を要すると考えられる。また、浸透膜を用いるため、凝縮液通路を流通する冷媒（凝縮水）の流量も制限されることになり、冷却システムとして見ても、系内を循環する冷媒循環量は大きく制限される。このため、冷却システムの立ち上げに時間がかかるとともに、冷媒循環量が制限されることに起因して冷却システム起動後の冷却能力をより向上させることが困難であるという問題点がある。
【０００６】
この発明は、上記のような課題を解決するためになされたものであり、この発明の１つの目的は、システムを迅速に立ち上げることができるとともに、冷媒循環量を増加させて冷却能力をより向上させることが可能な熱移動システムを提供することである。
【課題を解決するための手段】
【０００７】
上記目的を達成するために、この発明の一の局面における熱移動システムは、溶液に吸収された冷媒を蒸発させる蒸発部と、溶液が収容される吸引部と、蒸発部で蒸発された冷媒蒸気を凝縮させる凝縮部と、蒸発部と凝縮部とを接続する蒸気通路に設けられた第１の弁と、蒸発部と吸引部とを接続する溶液通路に設けられた第２の弁とを備え、冷媒が蒸発して蒸発部の溶液の濃度が所定値まで上昇した場合に、第１の弁を閉じて第２の弁を開くことによって冷媒蒸気の圧力により蒸発部の溶液が吸引部に移動されるとともに、吸引部と凝縮部との内圧差を利用して凝縮部で凝縮された冷媒が吸引部に吸引されるように構成されている。
【０００８】
この発明の一の局面による熱移動システムでは、上記のように、蒸発部と凝縮部とを接続する蒸気通路に設けられた第１の弁と、蒸発部と吸引部とを接続する溶液通路に設けられた第２の弁とを備え、冷媒が蒸発して蒸発部の溶液の濃度が所定値まで上昇した場合に、第１の弁を閉じて第２の弁を開くことによって冷媒蒸気の圧力により蒸発部の溶液が吸引部に移動されるとともに、吸引部と凝縮部との内圧差を利用して凝縮部で凝縮された冷媒が吸引部に吸引されるように構成することによって、第１の弁および第２の弁の開閉動作に基づいて冷媒蒸気の圧力を利用して蒸発部の溶液（濃溶液）を予め吸引部に円滑に移動させておくとともに、吸引部と凝縮部との内圧差を利用して凝縮部の冷媒（液冷媒）を溶液（濃溶液）が貯留された吸引部に円滑に吸引して溶液に冷媒を混合させることができる。すなわち、相対的に濃度の低い溶液（希溶液）が浸透膜を徐々に浸透しながら相対的に濃度の高い溶液（濃溶液）側に時間をかけて移動されるような場合と異なり、吸引部と凝縮部との内圧差を利用して吸引部に凝縮部の冷媒（液冷媒）が円滑に吸引されるため、時間を要さずに吸引部の溶液に凝縮部の冷媒を混合させて溶液（濃溶液）を希釈することができる。その結果、熱移動システムを迅速に立ち上げることができる。また、浸透膜（浸透圧）を用いる場合と異なり、吸引部と凝縮部との内圧差を利用することにより、冷媒の流通量が制限されないので、冷媒循環量を増加させて冷却能力をより向上させることができる。
【０００９】
上記一の局面による熱移動システムにおいて、好ましくは、凝縮部と吸引部とを接続する冷媒通路に設けられた第３の弁をさらに備え、蒸発部の溶液が吸引部に移動された後に、第２の弁を閉じて第３の弁を開くことにより、吸引部と凝縮部との内圧差を利用して凝縮部で凝縮された冷媒が吸引部に吸引されるように構成されている。このように、蒸発部の溶液（濃溶液）を吸引部に移動させた後、第２の弁および第３の弁の開閉動作に基づいて吸引部と凝縮部との内圧差を利用して凝縮部の液冷媒を溶液（濃溶液）が貯留された吸引部に冷媒通路を介して吸引して溶液に冷媒を混合させることができる。すなわち、凝縮部の冷媒（液冷媒）を吸引部に機械的に圧送する送液ポンプなどを設けることなく吸引部と凝縮部との内圧差を利用して第２の弁および第３の弁の開閉動作に基づいて、凝縮部から吸引部への液冷媒の円滑な流通を容易に得ることができる。
【００１０】
上記第３の弁をさらに備える構成において、好ましくは、凝縮部で凝縮された冷媒が吸引部に吸引された後に、第１の弁および第２の弁を開くことにより、吸引部の溶液は、吸引部と蒸発部との液面差により蒸発部に移動されるように構成されている。このように、凝縮部の液冷媒が吸引部に吸引されて濃溶液に混合された後、第１の弁および第２の弁の開閉動作に基づいて希溶液となった吸引部の溶液を液面差を利用して容易に蒸発部に戻すことができるので、蒸発部においては希釈された溶液（希溶液）を蒸発させて再び冷媒蒸気を得ることができる。すなわち、第１の弁、第２の弁および第３の弁の開閉動作に基づいて、蒸発部における冷媒蒸気の再生過程、再生された冷媒蒸気の凝縮部における凝縮（液化）過程、吸引部における冷媒（液冷媒）による溶液（濃溶液）の希釈過程、希釈された溶液の蒸発部への再供給過程をこの順に繰り返し行うことができるので、冷媒の円滑な流通を伴いながら熱移動システムを駆動させることができる。
【００１１】
この場合、好ましくは、第１の弁、第２の弁および第３の弁の開閉制御を行う弁制御部をさらに備え、冷媒が蒸発して蒸発部の溶液の濃度が所定値まで上昇した場合に、弁制御部により第１の弁を閉じて第２の弁を開く制御が行われて冷媒蒸気の圧力により蒸発部の溶液が吸引部に移動され、その後、弁制御部により第２の弁を閉じて第３の弁を開く制御が行われて吸引部と凝縮部との内圧差を利用して凝縮部の冷媒が吸引部に吸引され、その後、弁制御部により第１の弁および第２の弁を開く制御が行われることにより吸引部と蒸発部との液面差により吸引部の溶液が蒸発部に移動されるように構成されている。このように構成すれば、弁制御部を用いて、第１の弁、第２の弁および第３の弁の開閉動作を所定のタイミングに基づいて行うことができるので、蒸発部における冷媒蒸気の再生過程、再生された冷媒蒸気の凝縮部における凝縮（液化）過程、蒸発部から吸引部への溶液の移動過程、吸引部における冷媒（液冷媒）による溶液（濃溶液）の希釈過程、希釈された溶液の蒸発部への再供給過程を、熱移動システム内の冷媒循環量が制限されることなく連続的に繰り返すことができる。
【００１２】
上記一の局面による熱移動システムにおいて、好ましくは、蒸発部の溶液が温度低下を伴いながら吸引部に移動されることによって、吸引部の内圧を低下させて溶液が収容された吸引部の内圧と凝縮部の内圧との圧力差により凝縮部で凝縮された冷媒が吸引部に吸引されるように構成されている。このように構成すれば、溶液（濃溶液）の温度低下とともに溶液が移動された吸引部の内圧が、冷媒蒸気が封入された凝縮部の内圧よりも引き下げられた状態となるので、凝縮部に対して吸引部側が負圧状態（低い内圧状態）であることを有効に利用して凝縮部の液冷媒を吸引部に吸引させることができる。これにより、凝縮部の冷媒（液冷媒）を吸引部に機械的に圧送する送液ポンプなどを設けることなく熱移動システムを構成することができる。
【００１３】
この場合、好ましくは、蒸発部と吸引部とを接続する溶液通路に設けられ、蒸発部から吸引部に移動される際の溶液の温度を凝縮部における冷媒蒸気の凝縮温度未満に低下させる冷却部をさらに備える。このように構成すれば、冷却部により、蒸発部から吸引部へ移動される濃溶液の温度が凝縮部における冷媒蒸気の凝縮温度未満に確実に低下されるので、吸引部の内圧を冷媒蒸気が封入された凝縮部の内圧よりも容易に引き下げることができる。これにより、凝縮部の液冷媒を吸引部に確実に吸引させることができる。
【００１４】
上記蒸発部の溶液が温度低下を伴いながら吸引部に移動されることにより凝縮部の冷媒が吸引部に吸引される構成において、好ましくは、凝縮部と吸引部とを接続する冷媒通路が設けられており、凝縮部と冷媒通路との接続部分は、冷媒通路と吸引部との接続部分よりも下方に配置されている。このように、冷媒通路が凝縮部から吸引部に向かって上り勾配を有している場合においても、吸引部と凝縮部との内圧差により、凝縮部の液冷媒を濃溶液が貯留された吸引部に吸引することができるので、吸引部を凝縮部よりも下方に配置する（冷媒通路を凝縮部から吸引部に向けて下り勾配に構成する）必要性にとらわれることなく吸引部と凝縮部とを配置して熱移動システムを構成することができる。
【００１５】
上記一の局面による熱移動システムにおいて、好ましくは、溶液通路は、冷媒の蒸発後の濃溶液を蒸発部から吸引部へと移動させるための第１溶液通路と、吸引部において凝縮部から吸引された冷媒によって濃溶液が希釈された希溶液を吸引部から蒸発部へと移動させるための第２溶液通路とを含み、第２の弁は、第１溶液通路に設けられた濃溶液移動用弁と、第２溶液通路に設けられた希溶液移動用弁とを含む。このように構成すれば、濃溶液移動用弁を開閉動作させて濃溶液を流通させる第１溶液通路と、希溶液移動用弁を開閉動作させて希溶液を流通させる第２溶液通路とが別々に設けられるので、第１溶液通路と第２溶液通路とを蒸発部と吸引部との間でそれぞれ最適な形態で配置することができる。これにより、濃溶液と冷媒を含む希溶液との円滑な流通を図ることができる。
【００１６】
上記一の局面による熱移動システムにおいて、好ましくは、蒸発部で蒸発された冷媒蒸気を円滑に通過させるとともに溶液を通過させない大きさの孔を有することによって、冷媒蒸気と溶液とを分離する分離部が配置されている。このように構成すれば、冷媒蒸気とともに蒸発部の溶液（濃溶液）が蒸気通路を流通して凝縮部に混入されるのを効果的に抑制することができる。これにより、溶液（濃溶液）から冷媒（冷媒蒸気）を確実に分離した状態で、凝縮部における冷媒の凝縮過程を行うことができる。この結果、熱移動システムをより正常な状態で継続的に駆動させることができる。
【００１７】
上記一の局面による熱移動システムにおいて、好ましくは、蒸発部、吸引部および凝縮部は、車両に搭載されており、車両のエンジン、モータ、バッテリーおよび蓄熱器の少なくとも１つの排熱が蒸発部で蒸発された冷媒蒸気に伝達されるとともに、凝縮部において外部に放熱されるかまたは熱利用デバイスの熱源として利用されるように構成されている。このように、システムの迅速な立ち上げと冷却能力の向上とが可能な熱移動システムを用いて、車両のエンジン、モータ、バッテリーまたは蓄熱器などの熱源（発熱体）の熱（排熱）を効率よく外部環境または他の熱利用デバイスに移動させることができる。
【００１８】
なお、本出願では、上記一の局面による熱移動システムとは別に、以下のような構成も考えられる。
【００１９】
（付記項１）
すなわち、本出願の他の構成による熱移動システムは、溶液に吸収された冷媒を蒸発させる蒸発部と、溶液が収容される吸引部と、蒸発部で蒸発された冷媒蒸気を凝縮させる凝縮部とを備え、冷媒が蒸発して蒸発部の溶液の濃度が所定値まで上昇した場合に、冷媒蒸気の圧力により蒸発部の溶液が温度低下を伴いながら吸引部に移動されるとともに、吸引部の温度低下による内圧の低下により凝縮部で凝縮された冷媒が吸引部に吸引された後、吸引部と蒸発部との液面差により吸引部の溶液が蒸発部に移動されるように構成されている。このように構成すれば、冷媒蒸気の圧力を利用して蒸発部の溶液（濃溶液）を予め吸引部に円滑に移動させておくとともに、吸引部の温度低下による内圧の低下により凝縮部の冷媒（液冷媒）を溶液（濃溶液）が貯留された吸引部に円滑に吸引して溶液に冷媒を混合させることができる。すなわち、相対的に濃度の低い溶液（希溶液）が浸透膜を徐々に浸透しながら相対的に濃度の高い溶液（濃溶液）側に時間をかけて移動されるような場合と異なり、蒸発部から吸引部に移動された溶液の温度低下による吸引部の内圧の低下を利用して吸引部に凝縮部の冷媒（液冷媒）が円滑に吸引されるため、時間を要さずに吸引部の溶液に冷媒を混合させて溶液（濃溶液）を希釈することができる。また、凝縮部で凝縮された冷媒が吸引部に吸引された後、吸引部と蒸発部との液面差により吸引部の溶液（希溶液）が蒸発部に移動されるので、冷媒（冷媒を含む希溶液）を円滑に流通させることができる。その結果、熱移動システムを迅速に立ち上げることができる。また、浸透膜（浸透圧）を用いる場合と異なり、吸引部の温度低下による内圧の低下を利用して凝縮部で凝縮された冷媒を吸引部に吸引させることにより、冷媒の流通量が制限されない。これにより、冷媒循環量を増加させて冷却能力をより向上させることができる。
【００２０】
（付記項２）
上記本出願の他の構成による熱移動システムにおいて、好ましくは、蒸発部と凝縮部とを接続する蒸気通路に設けられた第１の弁と、蒸発部と吸引部とを接続する溶液通路に設けられた第２の弁とをさらに備え、第１の弁を閉じて第２の弁を開くことにより蒸発部の溶液を吸引部に移動させるとともに、第２の弁を閉じることにより凝縮部で凝縮された冷媒が吸引部に吸引された後、第１の弁および第２の弁を開くことにより吸引部の溶液を蒸発部に移動させるように構成されている。このように構成すれば、第１の弁および第２の弁を用いて容易に冷媒の循環経路を形成することができる。
【発明の効果】
【００２１】
本発明によれば、上記のように、熱移動システムを迅速に立ち上げることができるとともに、冷媒循環量を増加させて冷却能力をより向上させることができる。
【図面の簡単な説明】
【００２２】
【図１】本発明の第１実施形態による熱移動システムの全体構成を示した図である。
【図２】本発明の第１実施形態による熱移動システムの運転動作状態（状態１）を説明するための図である。
【図３】本発明の第１実施形態による熱移動システムの運転動作状態（状態２）を説明するための図である。
【図４】本発明の第１実施形態による熱移動システムの運転動作状態（状態３）を説明するための図である。
【図５】本発明の第１実施形態による熱移動システムの運転動作状態（状態４）を説明するための図である。
【図６】本発明の第２実施形態による熱移動システムの全体構成を示した図である。
【図７】本発明の第２実施形態による熱移動システムの運転動作状態（状態１）を説明するための図である。
【図８】本発明の第２実施形態による熱移動システムの運転動作状態（状態２）を説明するための図である。
【図９】本発明の第２実施形態による熱移動システムの運転動作状態（状態３）を説明するための図である。
【図１０】本発明の第２実施形態による熱移動システムの運転動作状態（状態４）を説明するための図である。
【図１１】本発明の変形例による熱移動システムの全体構成を示した図である。
【発明を実施するための形態】
【００２３】
以下、本発明を具体化した実施形態を図面に基づいて説明する。
【００２４】
（第１実施形態）
図１〜図５を参照して、本発明の第１実施形態による熱移動システム１００について説明する。第１実施形態による熱移動システム１００では、吸水作用を有する溶液と、熱輸送時の作動媒体（作動流体）としての冷媒とを用いることにより、発熱体９０の熱を輸送して外部環境へ移動（放熱）させることが可能に構成されている。なお、吸水作用（吸湿作用）を有する溶液として臭化リチウム（ＬｉＢｒ）水溶液を用いるとともに、冷媒として水を用いている。なお、ＬｉＢｒ水溶液は、本発明の「溶液」の一例であり、水は、本発明の「冷媒」の一例である。以下では、まず、熱移動システム１００の構成について説明し、その後、熱移動システム１００の運転動作について説明する。
【００２５】
第１実施形態による熱移動システム１００は、図１に示すように、蒸発部１０と、凝縮部２０と、吸引部３０とを備えている。また、蒸発部１０と凝縮部２０とは、蒸気通路４１によって接続（連通）されるとともに、凝縮部２０と吸引部３０とは、冷媒通路４２によって接続（連通）されている。また、蒸発部１０と吸引部３０とは、濃溶液通路４３ａによって接続（連通）されている。また、蒸発部１０と吸引部３０とは、濃溶液通路４３ａに加えて、希溶液通路４３ｂによっても互いに接続（連通）されている。これにより、蒸発部１０と凝縮部２０と吸引部３０との間で、ＬｉＢｒ水溶液および冷媒（水）が所定の状態で流通可能な１つの閉じたサイクルが形成されている。なお、濃溶液通路４３ａおよび希溶液通路４３ｂは、それぞれ、本発明の「第１溶液通路」および「第２溶液通路」の一例である。
【００２６】
ここで、第１実施形態では、熱移動システム１００は、乗用車、バスおよびトラックなどの車両に搭載可能に構成されており、熱移動システム１００は、後述する所定の動作制御に基づいて連続的に駆動されるように構成されている。この場合、発熱体９０は、車両におけるエンジン、モータ、バッテリーまたは蓄熱器などの発熱部（放熱部）を含むデバイスの少なくとも１つである。熱移動システム１００を駆動することにより、発熱体９０の熱（排熱）が蒸発部１０において蒸発潜熱を伴いながら蒸発する冷媒蒸気に伝達されるとともに、凝縮部２０を介して大気に放熱される。また、発熱体９０の熱が外部環境に放熱されるので、発熱体９０自身は冷却されて所定の温度範囲内に維持されるように構成されている。
【００２７】
蒸発部１０は、ＬｉＢｒ水溶液が貯留されるステンレス製の容器１１を含んでいる。また、容器１１内には、発熱体９０に設けられた放熱部（ヒートシンク）９１が露出している。これにより、容器１１内にＬｉＢｒ水溶液が貯留された状態で、発熱体９０の熱（排熱）が放熱部９１を介してＬｉＢｒ水溶液へと伝達されてＬｉＢｒ水溶液が加熱されるように構成されている。また、ＬｉＢｒ水溶液が加熱されることによって、ＬｉＢｒ水溶液に吸収されている冷媒（水）が容器１１内で蒸発される。なお、ＬｉＢｒ水溶液の濃度（水に対するＬｉＢｒの含有率）は、ＬｉＢｒ水溶液が所望の温度で沸騰するように予め調整されている。
【００２８】
また、容器１１内の側壁部１１ａには、ＬｉＢｒ水溶液の液面の位置（液面高さ）を検出する液面検知センサ１２および液面検知センサ１３が設けられている。液面検知センサ１２は、液面検知センサ１３よりも上方に設けられている。また、液面検知センサ１２および１３は、弁制御部７０に電気的に接続されている。熱移動システム１００では、ＬｉＢｒ水溶液の液面が液面検知センサ１２または液面検知センサ１３の位置に到達した際に、液面検知センサ１２または液面検知センサ１３の検出結果に基づいて弁制御部７０により後述する所定の制御が行われるように構成されている。
【００２９】
ここで、第１実施形態では、容器１１内のＬｉＢｒ水溶液の液面高さが運転動作中において最も上昇する位置よりも高い位置に、平板状の分離部１４が設けられている。分離部１４は、ＬｉＢｒ水溶液の液面と略平行に延びるように配置されている。また、分離部１４には、平板を厚み方向に貫通する複数の孔１４ａが形成されている。孔１４ａは、冷媒蒸気を円滑に通過させるとともにＬｉＢｒ水溶液を通過させない大きさを有している。これにより、容器１１に貯留されたＬｉＢｒ水溶液が発熱体９０の放熱部９１により加熱された際、ＬｉＢｒ水溶液から蒸発した冷媒蒸気のみが孔１４ａを通過して容器１１内上部から蒸気通路４１へと導かれる。一方、ＬｉＢｒ水溶液は分離部１４に衝突した後下方に落下して容器１１内に留まるように構成されている。
【００３０】
凝縮部２０は、冷媒蒸気を凝縮させるためのステンレス製の容器２１を含んでいる。また、容器２１内には、熱交換ユニット６０の熱交換器６１（２点鎖線で示す）が設けられている。ここで、熱交換ユニット６０について説明すると、熱交換ユニット６０は、内部を不凍液からなる冷却水（クーラント）が流通する熱交換器６１と、大気（外気）との熱交換が可能に構成された空気熱交換器６２と、熱交換器６１および空気熱交換器６２を接続するとともに内部に冷却水が流通される冷却水循環管路６３と、送風機６４とを備えている。これにより、熱交換ユニット６０は、冷却水循環管路６３中に冷却水を循環させた状態で送風機６４を駆動することによって、容器２１内の冷媒蒸気の熱を冷却水を介して外気に放熱させる機能を有している。したがって、蒸気通路４１を矢印Ｐ方向に流通して凝縮部２０に供給された冷媒蒸気（高温水蒸気）は、凝縮部２０において凝縮潜熱を伴いながら冷却される（冷媒蒸気が凝縮（液化）される）。また、凝縮（液化）された冷媒は、凝縮水となって容器２１内に貯留されるように構成されている。
【００３１】
また、蒸発部１０と凝縮部２０とを接続する蒸気通路４１には、蒸気流通用弁５１が設けられている。蒸気流通用弁５１は弁制御部７０に電気的に接続されており、弁制御部７０の弁開閉制御に基づいて動作されることにより、蒸発部１０と凝縮部２０との間の冷媒蒸気の流通（矢印Ｐ方向）を制御することが可能に構成されている。なお、蒸気流通用弁５１は、本発明の「第１の弁」の一例である。
【００３２】
吸引部３０は、ＬｉＢｒ水溶液を一時的に貯留するためのステンレス製の容器３１を含んでいる。なお、蒸発部１０と吸引部３０とを接続する濃溶液通路４３ａには、濃溶液移動用弁５２ａが設けられている。濃溶液移動用弁５２ａは弁制御部７０に電気的に接続されており、弁制御部７０の弁開閉制御に基づいて動作されることにより、蒸発部１０から吸引部３０へＬｉＢｒ水溶液を流通させる機能を有している。また、蒸発部１０と吸引部３０とを接続する希溶液通路４３ｂには、希溶液移動用弁５２ｂが設けられている。希溶液移動用弁５２ｂは弁制御部７０に電気的に接続されており、弁制御部７０の弁開閉制御に基づいて動作されることにより、吸引部３０から蒸発部１０へＬｉＢｒ水溶液を流通させる機能を有している。また、凝縮部２０と吸引部３０とを接続する冷媒通路４２には、凝縮水移動用弁５３が設けられている。凝縮水移動用弁５３は弁制御部７０に電気的に接続されており、弁制御部７０の弁開閉制御に基づいて動作されることにより、凝縮部２０から吸引部３０へ液冷媒（凝縮水）を流通させる機能を有している。なお、濃溶液移動用弁５２ａおよび希溶液移動用弁５２ｂは、本発明の「第２の弁」の一例である。また、凝縮水移動用弁５３は、本発明の「第３の弁」の一例である。
【００３３】
ここで、熱移動システム１００の運転中、蒸発部１０においてはＬｉＢｒ水溶液から冷媒（水）が蒸発することによりＬｉＢｒ水溶液の液面は徐々に低下する。また、冷媒が蒸発してＬｉＢｒ水溶液の液面が低下するほど、ＬｉＢｒ水溶液の濃度（水に対するＬｉＢｒの含有率）は上昇する。この際、第１実施形態では、冷媒が蒸発して蒸発部１０のＬｉＢｒ水溶液の濃度が所定値まで上昇した場合に、蒸気流通用弁５１を閉じて濃溶液移動用弁５２ａを開くことによって冷媒蒸気の圧力により容器１１内に滞留する濃溶液状態のＬｉＢｒ水溶液が濃溶液通路４３ａを矢印Ｑ方向に流通して吸引部３０に所定量だけ移動されるように構成されている。なお、蒸発部１０のＬｉＢｒ水溶液が吸引部３０に移動される際は、希溶液移動用弁５２ｂは閉じられている。
【００３４】
より詳細に説明すると、運転初期に分離部１４よりも若干下方の位置まで満たされたＬｉＢｒ水溶液（希溶液）の液面が冷媒の蒸発とともに低下して液面検知センサ１２の位置に到達した際、容器１１内のＬｉＢｒ水溶液の濃度が所定値まで上昇したと判断される。そして、液面検知センサ１２による液面の検出結果に基づいて蒸気流通用弁５１を閉じるとともに濃溶液移動用弁５２ａが開かれる。これにより、冷媒蒸気の圧力を利用して蒸発部１０のＬｉＢｒ水溶液が吸引部３０に円滑に移動される。なお、濃溶液移動用弁５２ａが開かれた際、ＬｉＢｒ水溶液の吸引部３０への移動とともにＬｉＢｒ水溶液の液面は液面検知センサ１２の位置よりも低下する。反対に、吸引部３０においては、ＬｉＢｒ水溶液が速やかに供給されていくので容器３１内の液面は上昇する。
【００３５】
また、第１実施形態では、濃溶液移動用弁５２ａが開かれてＬｉＢｒ水溶液が吸引部３０に所定量だけ移動された後、今度は、濃溶液移動用弁５２ａを閉じるとともに凝縮水移動用弁５３を開くことにより、吸引部３０と凝縮部２０との内圧差を利用して凝縮部２０で凝縮された液冷媒（凝縮水）が冷媒通路４２を矢印Ｐ方向に流通して吸引部３０に吸引されるように構成されている。より詳細に説明すると、蒸発部１０から吸引部３０へのＬｉＢｒ水溶液の移動とともに蒸発部１０におけるＬｉＢｒ水溶液の液面が液面検知センサ１２の位置から低下して液面検知センサ１３の位置に到達した際、濃溶液移動用弁５２ａが閉じられて凝縮水移動用弁５３が開かれる。これにより、吸引部３０に貯留された濃溶液状態のＬｉＢｒ水溶液に、凝縮部２０からの液冷媒（凝縮水）が混合されて溶液が希釈されるように構成されている。この結果、容器３１内のＬｉＢｒ水溶液は、液面がさらに上昇する。
【００３６】
なお、第１実施形態では、凝縮部２０と冷媒通路４２との接続部分４２ａは、冷媒通路４２と吸引部３０との接続部分４２ｂよりも下方に配置されている。このように、冷媒通路４２が凝縮部２０から吸引部３０に向かって上り勾配を有している場合においても、吸引部３０と凝縮部２０とに生じる内圧差を有効に利用して凝縮部２０の冷媒（液冷媒）が流通量を制限されることなくＬｉＢｒ水溶液（濃溶液）が貯留された吸引部３０に円滑に吸引されるように構成されている。
【００３７】
また、第１実施形態では、凝縮部２０で凝縮された冷媒が吸引部３０に吸引された後、所定のタイミングで蒸気流通用弁５１および希溶液移動用弁５２ｂが開かれる（濃溶液移動用弁５２ａは閉状態が維持される）。これにより、吸引部３０（容器３１）内で希溶液になったＬｉＢｒ水溶液が、希溶液通路４３ｂを矢印Ｐ方向に流通して蒸発部１０に移動されるように構成されている。ここで、容器３１内のＬｉＢｒ水溶液（希溶液）の液面は、容器１１（蒸発部１０）内のＬｉＢｒ水溶液（濃溶液）の液面（液面検知センサ１３の位置）よりも高い位置に存在するので、ＬｉＢｒ水溶液（希溶液）は、吸引部３０と蒸発部１０との液面差を利用して吸引部３０から蒸発部１０に速やかに戻されるように構成されている。これにより、蒸発部１０に貯留された濃液状態のＬｉＢｒ水溶液に、吸引部３０からの希溶液が混合されて容器１１内のＬｉＢｒ水溶液は希釈される。
【００３８】
なお、容器１１内の液面は、ＬｉＢｒ水溶液の移動とともに液面検知センサ１３の位置から上昇し始めて液面検知センサ１２の位置を越えて分離部１４よりも若干下方の位置にまで戻される。そして、希溶液となったＬｉＢｒ水溶液は、発熱体９０（放熱部９１）により再び加熱されてＬｉＢｒ水溶液から冷媒（水）が蒸発される。なお、吸引部３０から蒸発部１０へＬｉＢｒ水溶液が戻される際、蒸気流通用弁５１は開かれているので、容器１１内での液面上昇とともに冷媒蒸気は蒸気通路４１へ押し出されて凝縮部２０へと供給される。また、容器１１内では、ＬｉＢｒ水溶液の加熱（冷媒の蒸発）とともに、ＬｉＢｒ水溶液は徐々に濃度が高められて濃溶液へと変化する。すなわち、容器１１内の液面は、液面検知センサ１２に向かって徐々に低下する。
【００３９】
また、第１実施形態では、図１に示すように、熱移動システム１００は、上記した蒸気流通用弁５１、濃溶液移動用弁５２ａ、希溶液移動用弁５２ｂおよび凝縮水移動用弁５３の開閉制御を行うための弁制御部７０を備えている。すなわち、冷媒が蒸発して蒸発部１０のＬｉＢｒ水溶液の濃度が所定値まで上昇した場合（ＬｉＢｒ水溶液の液面が下がって液面検知センサ１２の位置に到達した際）に、弁制御部７０により蒸気流通用弁５１を閉じて濃溶液移動用弁５２ａを開く制御が行われて冷媒蒸気の圧力により蒸発部１０のＬｉＢｒ水溶液が吸引部３０に一時的に移動される。その後、ＬｉＢｒ水溶液の移動とともに液面が液面検知センサ１３の位置に到達した際、弁制御部７０により濃溶液移動用弁５２ａを閉じて凝縮水移動用弁５３を開く制御が行われて吸引部３０と凝縮部２０との内圧差を利用して凝縮部２０の液冷媒が吸引部３０に吸引されてＬｉＢｒ水溶液が希釈される。そして、その後、弁制御部７０により蒸気流通用弁５１および希溶液移動用弁５２ｂを再び開く制御が行われることにより、吸引部３０の液面が蒸発部１０の液面よりも高い位置に存在することを利用して吸引部３０のＬｉＢｒ水溶液（希溶液）が蒸発部１０に移動される。
【００４０】
このように、熱移動システム１００では、液面検知センサ１２および１３の検出結果とともに弁制御部７０による蒸気流通用弁５１、濃溶液移動用弁５２ａ、希溶液移動用弁５２ｂおよび凝縮水移動用弁５３の開閉動作に基づいて、蒸発部１０における冷媒蒸気の再生過程および再生された冷媒蒸気の凝縮部２０における凝縮（液化）過程、蒸発部１０から吸引部３０へのＬｉＢｒ水溶液（濃溶液）の移動過程およびその後の吸引部３０における液冷媒によるＬｉＢｒ水溶液（濃溶液）の希釈過程、および、希釈されたＬｉＢｒ水溶液の蒸発部１０への再供給過程、をこの順に繰り返し行うことが可能に構成されている。この際、希釈過程では、凝縮部２０から吸引部３０へ冷媒（凝縮水）が流通量を制限されることなく円滑に吸引（流入）される。また、再供給過程においても、冷媒（水）により希釈されたＬｉＢｒ水溶液が吸引部３０から蒸発部１０へと所定流量のもとで円滑に移動される。
【００４１】
また、弁制御部７０による蒸気流通用弁５１、濃溶液移動用弁５２ａ、希溶液移動用弁５２ｂおよび凝縮水移動用弁５３の開閉動作のタイミングは、発熱体９０の熱量（排熱量）に応じて調整可能に構成されている。これにより、システム内を循環する冷媒の循環量は所望の値に制御される。この熱移動システム１００では、冷媒（水）の循環量を柔軟に調整するとともに冷媒の円滑な流通を伴いながらシステムを駆動させることによって、発熱体９０が有する任意の熱量（排熱量）を凝縮部２０（熱交換ユニット６０）を介して大気に放熱させることを可能としている。言い換えれば、発熱体９０の冷却負荷に応じて冷媒循環量を増加または減少させることが可能であり、熱移動システム１００は、冷却能力を冷却負荷に合わせて向上させることが可能なシステムとして構成されている。また、熱移動システム１００では、冷媒の相変化に伴う蒸発潜熱および凝縮潜熱を利用して発熱体９０の熱を移動させて大気放熱させるので、従来の冷却水による顕熱変化を利用した冷却装置（水冷ラジエータ装置）などと比較してサイクルに封入される冷媒量（水量）がより少ない状態で同等の冷却能力を発揮させることができる。また、冷媒量の削減は熱容量の削減につながるので、熱移動システム１００を迅速に起動することにも寄与する。
【００４２】
また、第１実施形態では、蒸発部１０と吸引部３０とを接続する濃溶液通路４３ａに冷却部８０が設けられている。ここで、冷却部８０は、蒸発部１０で加熱されたＬｉＢｒ水溶液（濃溶液）が濃溶液通路４３ａを流通する際にＬｉＢｒ水溶液から若干の熱を奪って外部環境に放熱する機能を有している。この場合、冷却部８０は、上記した熱交換ユニット６０と同様に構成されていてもよいし、ペルチェ素子などを用いた熱電変換ユニットであってもよい。冷却部８０を設けることによって、蒸発部１０から吸引部３０に移動される際のＬｉＢｒ水溶液の温度が、凝縮部２０における冷媒蒸気の凝縮温度未満に低下するように構成されている。また、冷却部８０の冷却作用により、蒸発部１０から吸引部３０へ移動されたＬｉＢｒ水溶液（濃溶液）の温度が確実に凝縮部２０における冷媒蒸気の凝縮温度未満になるので、吸引部３０（容器３１）の内圧は、冷媒蒸気が封入された凝縮部２０（容器２１）の内圧よりも容易に低下される。すなわち、蒸発部１０のＬｉＢｒ水溶液が温度低下を伴いながら吸引部３０に移動されることによって、その後のタイミングで蒸気流通用弁５１を閉じて濃溶液移動用弁５２ａを開いた際、ＬｉＢｒ水溶液が収容された吸引部３０の内圧と凝縮部２０の内圧との圧力差により、凝縮部２０で凝縮された冷媒（凝縮水）が、吸引部３０に容易に吸引される。このようにして、熱移動システム１００は構成されている。
【００４３】
次に、図２〜図５を参照して、熱移動システム１００の運転動作について説明する。
【００４４】
まず、図２に示す運転動作状態（状態１）では、弁制御部７０により、蒸気通路４１の蒸気流通用弁５１を開状態とする一方、濃溶液通路４３ａの濃溶液移動用弁５２ａ、希溶液通路４３ｂの希溶液移動用弁５２ｂおよび冷媒通路４２の凝縮水移動用弁５３を共に閉状態に維持する弁開閉動作が行われる。そして、蒸発部１０においては、発熱体９０（放熱部９１）からの排熱により容器１１内のＬｉＢｒ水溶液が加熱（沸騰）されることより、ＬｉＢｒ水溶液から冷媒（水）が盛んに蒸発する。また、蒸気流通用弁５１は開かれているので、蒸発した冷媒蒸気（高温水蒸気）は、分離部１４（孔１４ａ）を通過した後、蒸気通路４１を矢印Ｐ方向に流通して凝縮部２０へ供給される。したがって、冷媒の蒸発とともに容器１１内のＬｉＢｒ水溶液は徐々に体積が減少してＬｉＢｒ水溶液の液面は低下する。また、凝縮部２０においては、熱交換ユニット６０中を流通（循環）する冷却水を介して外気と冷媒蒸気との熱交換が図られる。これにより、冷媒蒸気の熱が大気（外気）に放熱されるとともに冷媒蒸気は凝縮水に戻されて容器２１に順次貯留される。
【００４５】
ここで、容器１１内のＬｉＢｒ水溶液の液面が液面検知センサ１２の位置まで低下した場合（図２参照）に、弁制御部７０により、蒸気流通用弁５１が開状態から閉状態に切り換えられるとともに濃溶液移動用弁５２ａが閉状態から開状態に切り換えられる。すなわち、第１実施形態では、冷媒の蒸発によるＬｉＢｒ水溶液の液面の低下に伴ってＬｉＢｒ水溶液の濃度が所定値まで上昇した場合に、蒸気流通用弁５１が閉状態に切り換えられるとともに濃溶液移動用弁５２ａが開状態に切り換えられる。これにより、熱移動システム１００は、運転動作状態（状態１）から図３に示す運転動作状態（状態２）へと移行される。
【００４６】
図３に示す運転動作状態（状態２）では、容器１１内および蒸気通路４１内の冷媒蒸気の圧力により蒸発部１０のＬｉＢｒ水溶液（濃溶液）が濃溶液通路４３ａを矢印Ｑ方向に流通して吸引部３０へと押し出される。この際、冷却部８０が駆動されることにより、濃溶液通路４３ａを流通するＬｉＢｒ水溶液（濃溶液）は、冷却部８０によって若干冷却されて温度が下げられた状態で吸引部３０へと移動される。このように、第１実施形態では、蒸発部１０のＬｉＢｒ水溶液（濃溶液）の一部が冷媒蒸気の圧力を利用して濃溶液通路４３ａを介して吸引部３０に円滑に移動されるとともに、吸引部３０に移動されたＬｉＢｒ水溶液（濃溶液）は、蒸発部１０に貯留されるＬｉＢｒ水溶液（濃溶液）よりも液温が低下される。したがって、ＬｉＢｒ水溶液（濃溶液）が収容された吸引部３０（容器３１）の内圧は、蒸発部１０（容器１１）の内圧よりも低くなる。また、ＬｉＢｒ水溶液（濃溶液）が収容された吸引部３０の内圧は、冷媒蒸気（高温水蒸気）が満たされた凝縮部２０（容器２１）の内圧よりも低くなる。
【００４７】
その後、第１実施形態では、蒸発部１０から吸引部３０へ移動されるＬｉＢｒ水溶液の液面が容器１１内で液面検知センサ１３の位置に達した際（図４参照）に、弁制御部７０により、濃溶液移動用弁５２ａが開状態から閉状態に切り換えられる。さらに、弁制御部７０により、冷媒通路４２の凝縮水移動用弁５３が閉状態から開状態に切り換えられる。これにより、熱移動システム１００は、運転動作状態（状態２）から図４に示す運転動作状態（状態３）へと移行される。
【００４８】
図４に示す運転動作状態（状態３）においては、ＬｉＢｒ水溶液（濃溶液）が収容された吸引部３０の内圧が凝縮部２０の内圧よりも低いので、吸引部３０と凝縮部２０との内圧差を利用して凝縮部２０で凝縮された冷媒がＬｉＢｒ水溶液（濃溶液）が収容された吸引部３０に吸引される。すなわち、第１実施形態では、吸引部３０の内圧と凝縮部２０の内圧との圧力差を利用して凝縮部２０の冷媒（凝縮水）が冷媒通路４２を矢印Ｐ方向に流通して吸引部３０に円滑に移動されてＬｉＢｒ水溶液（濃溶液）に混合される。これにより、吸引部３０では、ＬｉＢｒ水溶液（濃溶液）が冷媒（凝縮水）により希釈されてＬｉＢｒ水溶液（希溶液）へと変化する。また、これに伴って、容器３１内のＬｉＢｒ水溶液の液面がさらに上昇し、蒸発部１０に残留するＬｉＢｒ水溶液（濃溶液）の液面高さ（液面検知センサ１３の位置）よりもはるかに高くなる。
【００４９】
その後、第１実施形態では、凝縮部２０から吸引部３０へ移動されるＬｉＢｒ水溶液が容器３１内で所定の液面高さに達した際に、弁制御部７０により、蒸気流通用弁５１および希溶液移動用弁５２ｂが共に閉状態から開状態に切り換えられる。また、濃溶液移動用弁５２ａは、閉じた状態が維持される。これにより、熱移動システム１００は、運転動作状態（状態３）から図５に示す運転動作状態（状態４）へと移行される。
【００５０】
図５に示す運転動作状態（状態４）においては、吸引部３０のＬｉＢｒ水溶液（希溶液）の液面高さが蒸発部１０のＬｉＢｒ水溶液（濃溶液）の液面高さよりも高いので、吸引部３０の液面が蒸発部１０の液面よりも高い位置に存在すること（吸引部３０と蒸発部１０との液面差）を利用して、吸引部３０のＬｉＢｒ水溶液（希溶液）が希溶液通路４３ｂを矢印Ｐ方向に流通して蒸発部１０に移動される。したがって、蒸発部１０のＬｉＢｒ水溶液（濃溶液）は液面の上昇とともにＬｉＢｒ水溶液（希溶液）へと状態が戻される。また、吸引部３０から蒸発部１０へＬｉＢｒ水溶液が戻される際、蒸気流通用弁５１は開かれているので、容器１１内での液面上昇とともに冷媒蒸気は蒸気通路４１へ押し出されて凝縮部２０へと供給される。そして、蒸発部１０のＬｉＢｒ水溶液（希溶液）が液面検知センサ１２の位置よりも上方の所定の液面高さに達したところで、弁制御部７０により、希溶液移動用弁５２ｂが開状態から閉状態（図２参照）に切り換えられる。
【００５１】
その後、蒸発部１０のＬｉＢｒ水溶液（希溶液）が再び発熱体９０の排熱により加熱されることより、ＬｉＢｒ水溶液から冷媒（水）が蒸発される。また、図２に示すように、弁制御部７０により、蒸気通路４１の蒸気流通用弁５１を開状態に維持する一方、濃溶液通路４３ａの濃溶液移動用弁５２ａ、希溶液通路４３ｂの希溶液移動用弁５２ｂおよび冷媒通路４２の凝縮水移動用弁５３を共に閉状態に維持する制御が行われる。そして、上記説明した「状態１（図２参照）」、「状態２（図３参照）」、「状態３（図４参照）」および「状態４（図５参照）」の運転動作が順次繰り返される。これにより、発熱体９０の排熱が、冷媒を介して凝縮部２０へと移動されて凝縮部２０から大気（外気）に放熱される。したがって、発熱体９０（放熱部９１）からは定常的に熱が奪われて発熱体９０は所定の温度に保たれる。
【００５２】
第１実施形態では、上記のように、蒸発部１０と凝縮部２０とを接続する蒸気通路４１に設けられた蒸気流通用弁５１と、蒸発部１０と吸引部３０とを接続する濃溶液通路４３ａに設けられた濃溶液移動用弁５２ａとを備え、冷媒が蒸発して蒸発部１０のＬｉＢｒ水溶液（濃溶液）の濃度が所定値まで上昇した場合に、蒸気流通用弁５１を閉じて濃溶液移動用弁５２ａを開くことによって冷媒蒸気の圧力により蒸発部１０のＬｉＢｒ水溶液（濃溶液）が吸引部３０に移動されるとともに、吸引部３０と凝縮部２０との内圧差を利用して凝縮部２０で凝縮された冷媒が吸引部３０に吸引されるように構成することによって、蒸気流通用弁５１および濃溶液移動用弁５２ａの開閉動作に基づいて冷媒蒸気の圧力を利用して蒸発部１０のＬｉＢｒ水溶液（濃溶液）を予め吸引部３０に円滑に移動させておくとともに、吸引部３０と凝縮部２０との内圧差を利用して凝縮部２０の冷媒（液冷媒）をＬｉＢｒ水溶液（濃溶液）が貯留された吸引部３０に円滑に吸引してＬｉＢｒ水溶液（濃溶液）に冷媒を混合させることができる。すなわち、相対的に濃度の低い冷媒（液冷媒）が浸透膜を徐々に浸透しながら相対的に濃度の高いＬｉＢｒ水溶液（濃溶液）側に時間をかけて移動されるような場合と異なり、吸引部３０と凝縮部２０との内圧差を利用して吸引部３０に凝縮部２０の冷媒（液冷媒）が円滑に吸引されるため、時間を要さずに吸引部３０の溶液（濃溶液）に冷媒（液冷媒）を混合させてＬｉＢｒ水溶液（濃溶液）を希釈することができる。その結果、熱移動システム１００を迅速に立ち上げることができる。また、浸透膜（浸透圧）を用いる場合と異なり、吸引部３０と凝縮部２０との内圧差を利用することにより、冷媒の流通量が制限されないので、冷媒循環量を増加させて熱移動システム１００の冷却能力をより向上させることができる。
【００５３】
また、第１実施形態では、凝縮部２０と吸引部３０とを接続する冷媒通路４２に設けられた凝縮水移動用弁５３を備え、蒸発部１０のＬｉＢｒ水溶液（濃溶液）が吸引部３０に移動された後に、濃溶液移動用弁５２ａを閉じて凝縮水移動用弁５３を開くことにより、吸引部３０と凝縮部２０との内圧差を利用して凝縮部２０で凝縮された冷媒が吸引部３０に吸引されるように構成する。このように、蒸発部１０のＬｉＢｒ水溶液（濃溶液）を吸引部３０に移動させた後、濃溶液移動用弁５２ａおよび凝縮水移動用弁５３の開閉動作に基づいて吸引部３０と凝縮部２０との内圧差を利用して凝縮部２０の冷媒（液冷媒）をＬｉＢｒ水溶液（濃溶液）が貯留された吸引部３０に冷媒通路４２を介して吸引してＬｉＢｒ水溶液（濃溶液）に冷媒を混合させることができる。すなわち、凝縮部２０の冷媒（液冷媒）を吸引部３０に機械的に圧送する送液ポンプなどを設けることなく吸引部３０と凝縮部２０との内圧差を利用して濃溶液移動用弁５２ａおよび凝縮水移動用弁５３の開閉動作に基づいて、凝縮部２０から吸引部３０への冷媒（液冷媒）の円滑な流通を容易に得ることができる。また、送液ポンプなどが不要となるので、熱移動システム１００の消費電力を極力抑えることができる。
【００５４】
また、第１実施形態では、凝縮部２０で凝縮された冷媒が吸引部３０に吸引された後に、蒸気流通用弁５１および希溶液移動用弁５２ｂを開くことにより、吸引部３０の溶液は、吸引部３０と蒸発部１０との液面差により蒸発部１０に移動されるように構成する。このように、凝縮部２０の冷媒（液冷媒）が吸引部３０に吸引されてＬｉＢｒ水溶液（濃溶液）に混合された後、蒸気流通用弁５１および希溶液移動用弁５２ｂの開閉動作に基づいて希溶液となった吸引部３０の溶液を液面差を利用して容易に蒸発部１０に戻すことができるので、蒸発部１０においては溶液（希液）を蒸発させて再び冷媒蒸気を得ることができる。すなわち、蒸気流通用弁５１、濃溶液移動用弁５２ａ、希溶液移動用弁５２ｂおよび凝縮水移動用弁５３の開閉動作に基づいて、蒸発部１０における冷媒蒸気の再生過程、再生された冷媒蒸気の凝縮部２０における凝縮（液化）過程、蒸発部１０から吸引部３０へのＬｉＢｒ水溶液（濃溶液）の移動過程、吸引部３０における冷媒（液冷媒）によるＬｉＢｒ水溶液（濃溶液）の希釈過程、希釈された溶液の蒸発部１０への再供給過程をこの順で連続的に繰り返し行うことができるので、冷媒の円滑な流通を伴いながら熱移動システム１００を駆動させることができる。
【００５５】
また、第１実施形態では、蒸気流通用弁５１、濃溶液移動用弁５２ａ、希溶液移動用弁５２ｂおよび凝縮水移動用弁５３の開閉制御を行う弁制御部７０を備える。そして、冷媒が蒸発して蒸発部１０のＬｉＢｒ水溶液（濃溶液）の濃度が所定値まで上昇した場合に、弁制御部７０により蒸気流通用弁５１を閉じて濃溶液移動用弁５２ａを開く制御が行われて冷媒蒸気の圧力により蒸発部１０のＬｉＢｒ水溶液（濃溶液）が吸引部３０に移動され、その後、弁制御部７０により濃溶液移動用弁５２ａを閉じて凝縮水移動用弁５３を開く制御が行われて吸引部３０と凝縮部２０との内圧差を利用して凝縮部２０の冷媒が吸引部３０に吸引され、その後、弁制御部７０により蒸気流通用弁５１および希溶液移動用弁５２ｂを開く制御が行われることにより吸引部３０と蒸発部１０との液面差により吸引部３０の溶液が蒸発部１０に移動されるように構成する。これにより、弁制御部７０を用いて、蒸気流通用弁５１、濃溶液移動用弁５２ａ、希溶液移動用弁５２ｂおよび凝縮水移動用弁５３の開閉動作を所定のタイミングに基づいて行うことができるので、蒸発部１０における冷媒蒸気の再生過程、再生された冷媒蒸気の凝縮部２０における凝縮（液化）過程、吸引部３０における冷媒（液冷媒）によるＬｉＢｒ水溶液（濃溶液）の希釈過程、希釈された溶液の蒸発部１０への再供給過程を冷媒循環量が制限されることなく繰り返すことができる。
【００５６】
また、第１実施形態では、蒸発部１０のＬｉＢｒ水溶液（濃溶液）が温度低下を伴いながら吸引部３０に移動されることによって、吸引部３０の内圧を低下させてＬｉＢｒ水溶液（濃溶液）が収容された吸引部３０の内圧と凝縮部２０の内圧との圧力差により凝縮部２０で凝縮された冷媒が吸引部３０に吸引されるように構成する。これにより、ＬｉＢｒ水溶液（濃溶液）の温度低下とともにＬｉＢｒ水溶液（濃溶液）が移動された吸引部３０の内圧が、冷媒蒸気が封入された凝縮部２０の内圧よりも引き下げられた状態となるので、凝縮部２０に対して吸引部３０側が負圧状態（低い内圧状態）であることを有効に利用して凝縮部２０の冷媒（液冷媒）を吸引部３０に吸引させることができる。したがって、凝縮部２０の冷媒（液冷媒）を吸引部３０に機械的に圧送する送液ポンプなどを設けることなく熱移動システム１００を構成することができる。
【００５７】
また、第１実施形態では、蒸発部１０と吸引部３０とを接続する濃溶液通路４３ａに設けられ、蒸発部１０から吸引部３０に移動される際のＬｉＢｒ水溶液（濃溶液）の温度を凝縮部２０における冷媒蒸気の凝縮温度未満に低下させる冷却部８０を備える。これにより、冷却部８０により、蒸発部１０から吸引部３０へ移動されるＬｉＢｒ水溶液（濃溶液）の温度が凝縮部２０における冷媒蒸気の凝縮温度未満に確実に低下されるので、吸引部３０の内圧を冷媒蒸気が封入された凝縮部２０の内圧よりも容易に引き下げることができる。これにより、凝縮部２０の冷媒（液冷媒）を吸引部３０に確実に吸引させることができる。
【００５８】
また、第１実施形態では、凝縮部２０と吸引部３０とを接続する冷媒通路４２が設けられており、凝縮部２０と冷媒通路４２との接続部分４２ａを、冷媒通路４２と吸引部３０との接続部分４２ｂよりも下方に配置する。このように、冷媒通路４２が凝縮部２０から吸引部３０に向かって上り勾配を有している場合においても、吸引部３０と凝縮部２０との内圧差により、凝縮部２０の冷媒（液冷媒）をＬｉＢｒ水溶液（濃溶液）が貯留された吸引部３０に吸引することができるので、吸引部３０を凝縮部２０よりも下方に配置する（冷媒通路４２を下り勾配にする）必要性にとらわれることなく吸引部３０と凝縮部２０とを配置して熱移動システム１００を構成することができる。
【００５９】
また、第１実施形態では、冷媒の蒸発後のＬｉＢｒ水溶液（濃溶液）を蒸発部１０から吸引部３０へと移動させるための濃溶液通路４３ａと、吸引部３０において凝縮部２０から吸引された冷媒によってＬｉＢｒ水溶液（濃溶液）が希釈された希溶液を吸引部３０から蒸発部１０へと移動させるための希溶液通路４３ｂとによって蒸発部１０と吸引部３０とをそれぞれ接続する。そして、濃溶液通路４３ａに濃溶液移動用弁５２ａを設けるとともに、希溶液通路４３ｂに希溶液移動用弁５２ｂを設ける。これにより、濃溶液移動用弁５２ａを開閉動作させてＬｉＢｒ水溶液（濃溶液）を流通させる濃溶液通路４３ａと、希溶液移動用弁５２ｂを開閉動作させて希溶液を流通させる希溶液通路４３ｂとが別々に設けられるので、濃溶液通路４３ａと希溶液通路４３ｂとを蒸発部１０と吸引部３０との間でそれぞれ最適な形態で配置することができる。これにより、濃溶液と冷媒を含む希溶液との円滑な流通を図ることができる。
【００６０】
また、第１実施形態では、蒸発部１０で蒸発された冷媒蒸気を円滑に通過させるとともにＬｉＢｒ水溶液（濃溶液）を通過させない大きさの孔を有することによって、冷媒蒸気とＬｉＢｒ水溶液（濃溶液）とを分離する分離部１４を配置する。これにより、冷媒蒸気とともに蒸発部１０のＬｉＢｒ水溶液（濃溶液）が蒸気通路４１を流通して凝縮部２０に混入されるのを効果的に抑制することができる。これにより、ＬｉＢｒ水溶液（濃溶液）から冷媒（冷媒蒸気）を確実に分離した状態で、凝縮部２０における冷媒の凝縮動作を行うことができる。この結果、熱移動システム１００をより正常な状態で駆動させることができる。
【００６１】
また、第１実施形態では、蒸発部１０、吸引部３０および凝縮部２０は、乗用車、バスおよびトラックなどの車両に搭載されており、乗用車、バスおよびトラックなどの車両の発熱体９０の排熱が蒸発部１０で蒸発された冷媒蒸気に伝達されるとともに、凝縮部２０において外部に放熱されるように構成する。このように、システムの迅速な立ち上げと冷却能力の向上が可能な熱移動システム１００を用いて、車両に備えられた発熱体９０の熱（排熱）を効率よく外部環境に移動（放熱）させることができる。
【００６２】
（第２実施形態）
図１および図６〜図１０を参照して、第２実施形態について説明する。この第２実施形態では、上記第１実施形態と異なり、蒸発部１０と吸引部３０とを１本の溶液通路２４３を用いて接続する例について説明する。なお、図中において、上記第１実施形態と同様の構成には、第１実施形態と同じ符号を付して図示している。
【００６３】
本発明の第２実施形態による熱移動システム２００では、図６に示すように、上記第１実施形態で用いた２本の濃溶液通路４３ａおよび希溶液通路４３ｂ（図１参照）の代わりに、１本の溶液通路２４３を用いて蒸発部１０と吸引部３０とを接続するとともに、溶液通路２４３にＬｉＢｒ水溶液の流通方向（矢印Ｐ方向または矢印Ｑ方向）を制御するための溶液移動用弁２５２を設けている。溶液移動用弁２５２は弁制御部７０に電気的に接続されており、弁制御部７０の弁開閉制御に基づいて動作されることにより、溶液通路２４３にＬｉＢｒ水溶液を流通させる機能を有している。また、溶液通路２４３には、蒸発部１０から吸引部３０に移動される際のＬｉＢｒ水溶液の温度を凝縮部２０における冷媒蒸気の凝縮温度未満に低下させる冷却部２８０を備えている。なお、冷却部２８０は、冷却部８０（図１参照）と同様の構成を有する。なお、溶液移動用弁２５２は、本発明の「第２の弁」の一例である。
【００６４】
したがって、第２実施形態では、冷媒が蒸発して蒸発部１０のＬｉＢｒ水溶液の濃度が所定値まで上昇した場合に、蒸気流通用弁５１を閉じて溶液移動用弁２５２が開かれることによって冷媒蒸気の圧力により蒸発部１０の濃溶液となったＬｉＢｒ水溶液が溶液通路２４３を矢印Ｑ方向に流通して吸引部３０に移動されるように構成されている。また、ＬｉＢｒ水溶液が吸引部３０に所定量だけ移動された後、溶液移動用弁２５２を閉じるとともに凝縮水移動用弁５３が開かれることにより、吸引部３０と凝縮部２０との内圧差を利用して凝縮部２０で凝縮された液冷媒（凝縮水）が冷媒通路４２を矢印Ｐ方向に流通して吸引部３０に吸引される。そして、凝縮部２０で凝縮された冷媒が吸引部３０に吸引された後に、所定のタイミングで蒸気流通用弁５１および溶液移動用弁２５２が開かれることにより、吸引部３０の希溶液となったＬｉＢｒ水溶液が溶液通路２４３を矢印Ｐ方向に流通して蒸発部１０に移動されるように構成されている。このように、第２実施形態では、蒸発部１０から吸引部３０へのＬｉＢｒ水溶液（濃溶液）の移動と、吸引部３０から蒸発部１０へのＬｉＢｒ水溶液（希溶液）の移動とを、共通の溶液通路２４３を用いて行うように構成している。なお、熱移動システム２００のその他の構成は、上記第１実施形態と同様である。
【００６５】
次に、図７〜図１０を参照して、熱移動システム２００の運転動作について説明する。
【００６６】
まず、図７に示す運転動作状態（状態１）では、弁制御部７０により、蒸気通路４１の蒸気流通用弁５１を開状態とする一方、溶液通路２４３の溶液移動用弁２５２および冷媒通路４２の凝縮水移動用弁５３を共に閉状態に維持する弁開閉動作が行われる。そして、蒸発部１０においては、発熱体９０（放熱部９１）からの排熱により容器１１内のＬｉＢｒ水溶液が加熱（沸騰）されて冷媒（水）が蒸発する。また、蒸気流通用弁５１は開かれているので、蒸発した高温水蒸気は蒸気通路４１を矢印Ｐ方向に流通して凝縮部２０へ供給される。凝縮部２０においては、熱交換ユニット６０中を流通する冷却水を介して外気と冷媒蒸気との熱交換が図られて、冷媒蒸気の熱が大気（外気）に放熱されるとともに冷媒蒸気は凝縮水に戻されて容器２１に順次貯留される。
【００６７】
ここで、容器１１内のＬｉＢｒ水溶液の液面が液面検知センサ１２の位置まで低下した場合（図６参照）に、弁制御部７０により、蒸気流通用弁５１が開状態から閉状態に切り換えられるとともに溶液移動用弁２５２が閉状態から開状態に切り換えられる。すなわち、第２実施形態においても冷媒の蒸発によるＬｉＢｒ水溶液の液面の低下に伴ってＬｉＢｒ水溶液の濃度が所定値まで上昇した場合に、蒸気流通用弁５１が閉状態に切り換えられるとともに溶液移動用弁２５２が開状態に切り換えられる。これにより、熱移動システム２００は、運転動作状態（状態１）から図８に示す運転動作状態（状態２）へと移行される。
【００６８】
図８に示す運転動作状態（状態２）では、容器１１内および蒸気通路４１内の冷媒蒸気の圧力により蒸発部１０のＬｉＢｒ水溶液（濃溶液）が溶液通路２４３を矢印Ｑ方向に流通して吸引部３０へと押し出される。この際、冷却部２８０が駆動されることにより、溶液通路２４３を流通するＬｉＢｒ水溶液（濃溶液）は若干温度が下げられた状態で吸引部３０へと移動される。このように、第２実施形態においても蒸発部１０のＬｉＢｒ水溶液（濃溶液）の一部が冷媒蒸気の圧力を利用して溶液通路２４３を介して吸引部３０に円滑に移動されるとともに、吸引部３０に移動されたＬｉＢｒ水溶液（濃溶液）は、蒸発部１０に貯留されるＬｉＢｒ水溶液（濃溶液）よりも液温が下げられる。したがって、ＬｉＢｒ水溶液（濃溶液）が収容された吸引部３０の内圧は、蒸発部１０の内圧よりも低くなる。また、ＬｉＢｒ水溶液（濃溶液）が収容された吸引部３０の内圧は、高温水蒸気が満たされた凝縮部２０の内圧よりも低くなる。
【００６９】
その後、第２実施形態では、蒸発部１０から吸引部３０へ移動されるＬｉＢｒ水溶液が容器１１内で液面検知センサ１３の位置に達した際（図９参照）に、弁制御部７０により、溶液移動用弁２５２が開状態から閉状態に切り換えられる。さらに、弁制御部７０により、冷媒通路４２の凝縮水移動用弁５３が閉状態から開状態に切り換えられる。これにより、熱移動システム２００は、運転動作状態（状態２）から図９に示す運転動作状態（状態３）へと移行される。
【００７０】
図９に示す運転動作状態（状態３）においては、ＬｉＢｒ水溶液（濃溶液）が収容された吸引部３０の内圧が凝縮部２０の内圧よりも低いので、吸引部３０と凝縮部２０との内圧差を利用して凝縮部２０で凝縮された冷媒がＬｉＢｒ水溶液（濃溶液）が収容された吸引部３０に吸引される。すなわち、第２実施形態においても、吸引部３０の内圧と凝縮部２０の内圧との圧力差を利用して凝縮部２０の冷媒（凝縮水）が冷媒通路４２を矢印Ｐ方向に流通して吸引部３０に円滑に移動されてＬｉＢｒ水溶液（濃溶液）に混合される。これにより、吸引部３０では、ＬｉＢｒ水溶液（濃溶液）が冷媒（凝縮水）により希釈されてＬｉＢｒ水溶液（希溶液）へと変化する。また、これに伴って、容器３１内のＬｉＢｒ水溶液の液面がさらに上昇し、蒸発部１０に残留するＬｉＢｒ水溶液（濃溶液）の液面高さ（液面検知センサ１３の位置）よりもはるかに高くなる。
【００７１】
その後、第２実施形態では、凝縮部２０から吸引部３０へ移動されるＬｉＢｒ水溶液が容器３１内で所定の液面高さに達した際に、弁制御部７０により、蒸気流通用弁５１および溶液移動用弁２５２が共に閉状態から開状態に切り換えられる。これにより、熱移動システム２００は、運転動作状態（状態３）から図１０に示す運転動作状態（状態４）へと移行される。
【００７２】
図１０に示す運転動作状態（状態４）においては、吸引部３０のＬｉＢｒ水溶液（希溶液）の液面高さが蒸発部１０のＬｉＢｒ水溶液（濃溶液）の液面高さよりも高いので、吸引部３０と蒸発部１０との液面差により、吸引部３０のＬｉＢｒ水溶液（希溶液）が溶液通路２４３を矢印Ｐ方向に流通して蒸発部１０に移動される。したがって、蒸発部１０のＬｉＢｒ水溶液（濃溶液）は液面高さの上昇とともにＬｉＢｒ水溶液（希溶液）へと状態が戻される。また、吸引部３０から蒸発部１０へＬｉＢｒ水溶液が戻される際、蒸気流通用弁５１は開かれているので、容器１１内での液面上昇とともに冷媒蒸気は蒸気通路４１へ押し出されて凝縮部２０へと供給される。そして、蒸発部１０のＬｉＢｒ水溶液（希溶液）が液面検知センサ１２の位置よりも上方の所定の液面高さに達したところで、弁制御部７０により、溶液移動用弁２５２が開状態から閉状態（図７参照）に切り換えられる。
【００７３】
その後、蒸発部１０のＬｉＢｒ水溶液（希溶液）が再び発熱体９０の排熱により加熱されることより、ＬｉＢｒ水溶液から冷媒（水）が蒸発される。また、図７に示すように、弁制御部７０により、蒸気通路４１の蒸気流通用弁５１を開状態とする一方、溶液通路２４３の溶液移動用弁２５２および冷媒通路４２の凝縮水移動用弁５３を共に閉状態に維持する弁開閉動作が行われる。そして、上記説明した「状態１（図７参照）」、「状態２（図８参照）」、「状態３（図９参照）」および「状態４（図１０参照）」の運転動作が順次繰り返される。これにより、発熱体９０の排熱が、冷媒を介して凝縮部２０へと移動されて凝縮部２０から大気（外気）に放熱される。したがって、発熱体９０（放熱部９１）からは定常的に熱が奪われて発熱体９０は所定の温度に保たれる。
【００７４】
第２実施形態では、上記のように、蒸発部１０と吸引部３０とを溶液通路２４３のみによって接続し、溶液通路２４３を、蒸発部１０から吸引部３０へとＬｉＢｒ水溶液（濃溶液）を移動させるとともに、吸引部３０から蒸発部１０へとＬｉＢｒ水溶液（希溶液）を移動させるための共通の溶液通路として用いる。そして、溶液通路２４３に溶液移動用弁２５２を設ける。これにより、１つの溶液移動用弁２５２を開閉動作させて蒸発部１０から吸引部３０へとＬｉＢｒ水溶液（濃溶液）を溶液通路２４３を介して移動させた後に、蒸発部１０から吸引部３０へとＬｉＢｒ水溶液（希溶液）を同じ溶液通路２４３を介して移動させる動作を行うことができる。このように、１つの溶液移動用弁２５２および溶液通路２４３を用いて熱移動システム２００を動作させることができるので、熱移動システム２００の構成を簡素化させることができる。なお、第２実施形態のその他の効果は、上記第１実施形態と同様である。
【００７５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７６】
たとえば、上記第１実施形態では、濃溶液通路４３ａの途中に冷却部８０を設けて蒸発部１０から吸引部３０へ移動されるＬｉＢｒ水溶液（濃溶液）の温度を大気放熱により低下させる例について示したが、本発明はこれに限られない。たとえば、このような冷却部８０を設けることなく濃溶液通路４３ａと吸引部３０とを所定の長さを有するキャピラリー（細管）を用いて接続してもよい。ＬｉＢｒ水溶液を冷媒蒸気の圧力によりキャピラリー中を流通させることによってＬｉＢｒ水溶液は所定の流速を有して吸引部３０内に噴出される。この噴出時の圧力降下に伴いＬｉＢｒ水溶液（濃溶液）の温度を若干（約２Ｋ〜約３Ｋ）下げることが可能である。キャピラリーを用いたより簡易な構成によっても、蒸発部１０から吸引部３０へ移動されるＬｉＢｒ水溶液（濃溶液）の温度を、凝縮部２０における冷媒蒸気の凝縮温度未満に確実に低下させることができる。
【００７７】
また、上記第１実施形態では、濃溶液通路４３ａの濃溶液移動用弁５２ａと吸引部３０との間に冷却部８０を設けた例について示したが、本発明はこれに限られない。たとえば、濃溶液通路４３ａの蒸発部１０と濃溶液移動用弁５２ａとの間に冷却部８０を設けてもよい。また、上記第２実施形態では、溶液通路２４３の溶液移動用弁２５２と吸引部３０との間に冷却部２８０を設けた例について示したが、本発明はこれに限られない。たとえば、溶液通路２４３の蒸発部１０と溶液移動用弁２５２との間に冷却部２８０を設けてもよい。
【００７８】
また、上記第１および第２実施形態では、発熱体９０の熱（排熱）を凝縮部２０（熱交換ユニット６０）を介して単に外気（外部環境）に放熱させた例について示したが、本発明はこれに限られない。たとえば、図１１に示す変形例のように、凝縮部２０と他の熱利用デバイス６５とを接続することにより、発熱体９０の熱（排熱）を凝縮部２０に移動させた後、この熱利用デバイス６５の熱源として利用するように構成してもよい。たとえば、凝縮部２０と、熱利用デバイス６５の一例としての車内空調用の空気熱交換器とを接続して発熱体９０の熱を車内空調用の熱源（温風）として再利用するように構成してもよいし、車内に設けられた熱利用デバイス６５の一例としての加温器（保温器）の熱源として利用してもよい。
【００７９】
また、上記第１および第２実施形態では、凝縮部２０と冷媒通路４２との接続部分４２ａを、冷媒通路４２と吸引部３０との接続部分４２ｂよりも下方に配置した例について示したが、本発明はこれに限られない。凝縮部２０と冷媒通路４２との接続部分４２ａを、冷媒通路４２と吸引部３０との接続部分４２ｂよりも上方に配置してもよいし、同じ高さ位置に配置してもよい。
【００８０】
また、上記第１および第２実施形態では、蒸発部１０の容器１１内部に複数の孔１４ａを有する平板状の分離部１４を設けた例について示したが、本発明はこれに限られない。たとえば、冷媒蒸気を円滑に通過させるとともに短辺がＬｉＢｒ水溶液を通過させない程度の開口幅を有する細長いスリット状の貫通孔を平板に複数設けて本発明の「分離部」を構成してもよいし、このような貫通孔を有する平板の下面に、溶液の液面に向かって下方斜め方向に延びる複数の邪魔板をさらに設けて「分離部」を構成してもよい。沸騰するＬｉＢｒ水溶液を含む冷媒蒸気が貫通孔（スリット）を通過する前に邪魔板に衝突することにより冷媒蒸気からＬｉＢｒ水溶液が分離されて邪魔板を伝って容器１１内に容易に滴下させることができる。
【００８１】
また、上記第１および第２実施形態では、蒸発部１０の容器１１内部に分離部１４を設けた例について示したが、本発明はこれに限られない。すなわち、容器１１内部に分離部１４を設けないように構成してもよい。
【００８２】
また、上記第１および第２実施形態では、本発明の「熱移動システム」を乗用車、バスおよびトラックなどの車両に設けられた発熱体９０の冷却システムに適用した例について示したが、本発明はこれに限られない。たとえば、発熱体としてのディーゼルエンジンなどの内燃機関を備えた列車や船舶などの冷却システムに適用してもよい。
【００８３】
また、上記第１および第２実施形態では、吸水作用を有する溶液として臭化リチウム（ＬｉＢｒ）水溶液を用いた例について示したが、本発明はこれに限られない。吸水作用（吸湿作用）を有する溶液として、塩化リチウム（ＬｉＣｌ）水溶液や、塩化カルシウム（ＣａＣｌ２）水溶液などを用いてもよい。なお、ＬｉＣｌ水溶液およびＣａＣｌ２水溶液は、本発明の「溶液」の一例である。
【００８４】
また、上記第１および第２実施形態では、冷媒として水を用いた例について示したが、本発明はこれに限られない。たとえば、冷媒として液体アルコールを用いてもよい。
【符号の説明】
【００８５】
１０  蒸発部
１２、１３  液面検知センサ
１４  分離部
１４ａ  孔
２０  凝縮部
３０  吸引部
４１  蒸気通路
４２  冷媒通路
４２ａ  接続部分（凝縮部と冷媒通路との接続部分）
４２ｂ  接続部分（冷媒通路と吸引部との接続部分）
４３ａ  濃溶液通路（第１溶液通路）
４３ｂ  希溶液通路（第２溶液通路）
５１  蒸気流通用弁（第１の弁）
５２ａ  濃溶液移動用弁（第２の弁）
５２ｂ  希溶液移動用弁（第２の弁）
５３  凝縮水移動用弁（第３の弁）
６５  熱利用デバイス
８０、２８０  冷却部
７０  弁制御部
１００、２００  熱移動システム
２４３  溶液通路
２５２  溶液移動用弁（第２の弁）
【図１】
2014092320.tif 000003
【図２】
2014092320.tif 000004
【図３】
2014092320.tif 000005
【図４】
2014092320.tif 000006
【図５】
2014092320.tif 000007
【図６】
2014092320.tif 000008
【図７】
2014092320.tif 000009
【図８】
2014092320.tif 000010
【図９】
2014092320.tif 000011
【図１０】
2014092320.tif 000012
【図１１】
2014092320.tif 000013